(57)【要約】      （修正有）【課題】オフィスチェア等で背もたれのあるイスにおいて、構造が簡単であり、快適且つ安全でありながら、シートパッドが背もたれに連動して回転できる弾性背もたれシートを提供する。【解決手段】背もたれ１とシートパッド１２及びスタンド１８が備え、上記スタンドは、内部に弾性機構が設置された横方向空心パイプ９があり、背もたれの両側には、それぞれ、力受けフレーム２が固設され、二つの力受けフレームの下端に、それぞれ、弾性機構の両端が結合され、シートパッドが、スタンド上に設置される。【選択図】図１
0003170606.tif 000002
【実用新案登録請求の範囲】
【請求項１】
背もたれやシートパッド及びスタンドからなる弾性背もたれシートであって、
上記スタンドは、内部に弾性機構が設置された横方向空心パイプがあり、背もたれの両側には、それぞれ、力受けフレームが固設され、二つの力受けフレームの下端に、それぞれ、弾性機構の両端が結合され、シートパッドが、スタンド上に設置される、
ことを特徴とする弾性背もたれシート。
【請求項２】
上記弾性機構は、トーションばねであり、上記トーションばねの中部が固定され、二つの外端が、力受けフレームの下端に結合されることを特徴とする請求項１に記載の弾性背もたれシート。
【請求項３】
上記弾性機構は、固定部材と弾性回転軸と二つの回転ブロック、二つの制限部材及び二つのロック部材からなり、円形ではない貫通孔が形成された固定部材が、スタンドの横方向空心パイプ内に設置され、円形ではない棒体である弾性回転軸が、固定部材に貫設され、回転ブロックにも、円形ではない貫通孔が形成され、二つの回転ブロックが、弾性回転軸の両端に嵌設され、制限部材内に、回転ブロックより大きい回転孔が形成され、回転孔が、回転ブロックの外に嵌設され、二つの制限部材が、横方向空心パイプの両端を封するように固定され、力受けフレームの下端に、回転ブロックの形状と一致した力受け孔が形成され、回転ブロックが、上記力受け孔に挿設され、二つの力受けフレームの下端は、それぞれ、二つのロック部材を介して、弾性回転軸の二つの末端に結合されることを特徴とする請求項１に記載の弾性背もたれシート。
【請求項４】
上記力受けフレームの下端にも、円形ではない貫通孔が形成され、弾性回転軸が、力受けフレームの下端に貫通し、弾性回転軸の末端に、ロック部材が嵌合されるリング状溝が形成されることを特徴とする請求項３に記載の弾性背もたれシート。
【請求項５】
上記固定部材の円形ではない貫通孔が、六角孔で、弾性回転軸が、六角プリズム状柱スチール軸であり、回転ブロックの円形ではない貫通孔が、六角孔で、力受けフレーム下端にある円形ではない貫通孔が、六角孔であることを特徴とする請求項４に記載の弾性背もたれシート。
【請求項６】
上記回転ブロックの横断面が、ドラム形であることを特徴とする請求項３に記載の弾性背もたれシート。
【請求項７】
上記回転ブロックが、回転孔内においての回転角度が、５〜１５°で、すなわち、背もたれの傾斜角度が、５〜１５°であることを特徴とする請求項３に記載の弾性背もたれシート。
【請求項８】
上記制限部材と横方向空心パイプとの結合は、直接に螺条を利用するか、ネジで螺着するや鋲着される或いは半田付けによって結合されることを特徴とする請求項３に記載の弾性背もたれシート。
【請求項９】
上記シートパッドは、スタンドに、二つの突起部が設けられ、上記突起部に、パッドシートが設置され、シートパッドの下方に、二つのローラが設けられ、ローラが、蓋板によって覆われ、ローラが、パッドシート上から抑え、シートパッドの両側が、二つの力受けフレームに固設されるような構成により、摺動可能にスタンド上に設置されることを特徴とする請求項１に記載の弾性背もたれシート。
【請求項１０】
上記力受けフレームとアームレストは、一体成型によって形成されることを特徴とする請求項１乃至９の何れかの一つに記載の弾性背もたれシート。
【考案の詳細な説明】
【技術分野】
【０００１】
本考案は、シートに関し、特に、弾性背もたれシートに関する。
【背景技術】
【０００２】
生活水準の向上とともに、人々が、快適性に対する要求が高くなる。既存の各種類のシートは、例えば、オフィスチェアや会議室用イス、日常生活用イスであって、弾性背もたれを利用するものが多く、その構造は、背もたれとイスフレームとの間において、所定の変形度を有する金属部材によって結合され、これにより、背もたれが、ほぼ、ユーザーの背部のもたれに応じて、下へ回転でき、また、所定の範囲内において、左右に動揺できる。しかしながら、上記構造によれば、金属部材が容易に變形して損害するだけでなく、背もたれの快適性が、不足であり、たとえ、人が、下への傾斜角度を大きくすると、イスが転覆する恐れがある。また、既存の背もたれは、回転する時、シートパッドが、背もたれとともに連動されて回転することができないため、快適性が十分ではない。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案は、上記の諸欠点を解消するため、構造が微妙であり、快適且つ安全でありながら、シートパッドが、背もたれに連動して回転できる弾性背もたれシートを提供する。
【課題を解決するための手段】
【０００５】
本考案に係る弾性背もたれシートは、背もたれとシートパッド及びスタンドが備えられ、上記スタンドは、内部に弾性機構が設置された横方向空心パイプがあり、背もたれの両側には、それぞれ、力受けフレームが固設され、二つの力受けフレームの下端に、それぞれ、弾性機構の両端が結合され、シートパッドが、スタンド上に設置される。上記弾性機構は、トーションばねであり、上記トーションばねの中部により固定され、二つの外端が、力受けフレームの下端に結合される。
【０００６】
本考案の第二の実施形態によれば、上記弾性機構は、固定部材と弾性回転軸、二つの回転ブロック、二つの制限部材及び二つのロック部材が備えられ、上記固定部材は、スタンドの横方向空心パイプ内に実装され、円形ではない貫通孔が形成され、弾性回転軸は、円形ではない棒体であり、上記弾性回転軸が、固定部材に貫設され、上記回転ブロックにも、円形ではない貫通孔が形成され、二つの回転ブロックが、弾性回転軸の両端に嵌入され、制限部材内に、回転ブロックよりも大きい回転孔が形成され、回転孔が、回転ブロックの外に嵌設され、二つの制限部材が、横方向空心パイプの両端を封するように固定さされ、力受けフレームの下端に、回転ブロックの形状と一致した力受け孔が形成され、上記回転ブロックが、上記力受け孔に挿設され、二つの力受けフレームの下端が、それぞれ、二つのロック部材を介して、弾性回転軸の二つの末端に結合される。
【０００７】
また、ロック構造としては、上記力受けフレームの下端にも、円形ではない貫通孔が形成され、弾性回転軸が、上記力受けフレームの下端に貫設され、弾性回転軸の末端に、リング状溝が形成され、ロック部材が、リング状溝に嵌合される。
【０００８】
上記固定部材の円形ではない貫通孔が六角孔、弾性回転軸が六角プリズム状柱のスチール軸で、回転ブロックの円形ではない貫通孔が六角孔、力受けフレームの下端にある円形ではない貫通孔が六角孔である。六角孔や六角プリズム状柱のスチール軸によれば、軸方向力を容易に伝達できるが、他の円形ではない貫通孔は、例えば、半円形や楕円形、矩形、五角形及び台形でも、同じ効果が得られる。
【０００９】
また、上記回転ブロックの横断面が、ドラム形でもよい。
【００１０】
上記回転ブロックは、回転孔内においての回転角度が、５〜１５°であり、すなわち、背もたれの傾斜角度が、５〜１５°である。この角度範囲であれば、快適性に対する要求を満たすことができ、また、安全且つ信頼性が向上される。また、回転孔の大きさを調整すれば、如何なる背もたれの後ろ仰ぎ角度を実現できる。
【００１１】
上記制限部材と横方向空心パイプと、を結合する方法は、直接に螺条で結合してもいいし、ネジで結合、鋲着や半田付けによって結合するように、固定できる方法であれば、制限されることがない。
【００１２】
上記シートパッドは、摺動可能にスタンド上に設置され、その具体構造としては、スタンドに、二つの突起部が設けられ、上記突起部上に、パッドシートが設置され、上記シートパッドの下方に、二つのローラが設けられ、上記ローラが、蓋板によって覆われ、ローラが、パッドシート上から抑え、シートパッドの両側が、二つの力受けフレームに固設される。上記の構造により、背もたれの後へ仰ぐことが実現され、それとも、シートパッドと背もたれが、一緒に回転する。シートパッドは、直接に、スタンド上に固定されてもよい。
【００１３】
上記力受けフレームとアームレストは、一体成型からなり、これにより、美観性や生産性が向上される。
【００１４】
本考案によれば、ユーザーが後ろへ倒れるとき、力受けフレームが、後へ回転し、力受け孔により、回転ブロックが連動されるため、弾性回転軸が、後へ回転し、弾性回転軸の中央が固定部材によって固定されるから、弾性回転軸が、変形する。回転ブロックが、制限部材の回転孔内においての回転角度が５〜１５°であるため、即ち、背もたれの傾斜角度が５〜１５°になる。この角度範囲は、快適性の要求を満足でき、また、安全で、信頼できる。シートパッドの両側に、二つの力受けフレームが固定され、シートパッドも、それとともに、後へ倒れ、シートパッドの下方にある二つのローラが、パッドシート上を転がることできる。
【００１５】
ユーザーが、前へ傾くと、弾性回転軸が元の位置に戻るため、逆方向に回転し、回転ブロックや力受けフレームも逆方向に回復し、背もたれが、前へ元の位置に戻す。シートパッドの両側が、二つの力受けフレームに固定されるため、シートパッドも連動されて回復し、シートパッドの下方にある二つのローラが、パッドシート上を転がる。
【００１６】
本考案は、既存の技術と比較すると、次の利点が得られる。
【００１７】
本弾性背もたれシートは、構造が新鋭且つ簡単で、微妙に弾性回転軸の変形を利用して、背もたれの後ろ仰ぎと回復を実現でき、また、シートパッドも連動されて後ろ仰ぎと回復することができるため、快適性がより向上され、より人体工学に相応しくなる。
【００１８】
以下、図面を参照しながら、本考案の特徴や技術内容について、詳しく説明するが、それらの図面等は、参考や説明のためであり、本考案は、それによって制限されることが無い。
【考案を実施するための形態】
【００１９】
以下、図面や実施例を挙げて、本考案を詳しく説明する。
【００２０】
実施例１：
図１乃至図３に示された弾性背もたれシートを参照しながら、背もたれ１とシートパッド１２及びスタンド１８が備えられ、スタンド１８は、横方向空心パイプ９を有し、横方向空心パイプ９内に、弾性機構２３が設けられ、背もたれ１の両側に、それぞれ、力受けフレーム２が固定され、二つの力受けフレーム２の下端に、弾性機構２３の両端が結合され、シートパッド１２が、スタンド１８上に設置される。
【００２１】
弾性機構２３は、固定部材８と弾性回転軸６、二つの回転ブロック５、二つの制限部材４及び二つのロック部材７が備えられ、固定部材８は、スタンド１８の横方向空心パイプ９内に実装され、固定部材８には、円形ではない貫通孔が形成され、弾性回転軸６は、円形ではない棒体で、固定部材８に貫設され、回転ブロック５にも、円形ではない貫通孔が形成され、二つの回転ブロック５が、弾性回転軸６の両端に嵌設され、制限部材４内には、回転孔１９が形成され、回転ブロック５よりも大きい回転孔１９が、回転ブロック５の外に嵌設され、二つの制限部材４が、横方向空心パイプ９の両端に固定され、力受けフレーム２の下端には、回転ブロック５の形状と一致した力受け孔１１が形成され、回転ブロック５が、力受け孔１１に挿設され、二つの力受けフレーム２の下端が、二つのロック部材７を介して、弾性回転軸６の二つの末端に固定される。
【００２２】
力受けフレーム２は、下端に、円形ではない貫通孔が形成され、弾性回転軸６が、力受けフレーム２の下端に通し、ロック部材７により、弾性回転軸６の末端に形成されたリング状溝２１に嵌設される。
【００２３】
本実施例においては、固定部材８の円形ではない貫通孔が、六角孔で、弾性回転軸６が、六角プリズム状柱スチール軸で、回転ブロック５の円形ではない貫通孔が、六角孔で、力受けフレーム２の下端にある円形ではない貫通孔が、六角孔である。六角孔と六角プリズム状柱スチール軸により、容易に軸方向力を伝達できるが、他の円形ではない貫通孔によっても、例えば、半円形や楕円形、矩形、五角形或いは台形でも、同じ伝達効果が得られる。
【００２４】
回転ブロック５は、横断面が、ドラム形である（図４のように）。回転ブロック５は、回転孔１９内での回転角度が、５〜１５°であり（図５のように）、即ち、背もたれ１の傾斜角度が、５〜１５°になる。この角度範囲は、快適性の要求に満足でき、安全且つ信頼できる。また、回転孔１９の大きさを調整すれば、如何なる背もたれ１の後ろ仰ぎ角度を実現できる。
【００２５】
本実施例においては、制限部材４と横方向空心パイプ９とが、半田付けによって結合される。
【００２６】
シートパッド１２は、摺動可能にスタンド１８上に設置され、その具体な構造としては、スタンド１８に、二つの突起部２２が設けられ、突起部２２上に、パッドシート１０が設置され、シートパッド１２の下方に、二つのローラ１５が設けられ、ローラ１５が、ロール軸１６により、シートパッド１２の下に結合されて、蓋板１４によって覆われ、ローラ１５が、パッドシート１０上に押さえるように、シートパッド１２の両側において、ボルト１３により、二つの力受けフレーム２に固定される。上記の構造により、背もたれ１の後ろ仰ぎを実現され、シートパッド１２が、背もたれ１に連動されて回転される。
【００２７】
本実施例においては、スタンド１８の下方に、四つのスタンドパッド１７が設置されて、弾性背もたれシートが摺動することを防止する。
【００２８】
力受けフレーム２とアームレスト３とは、一体成型からんり、これにより、美観性や生産性がより向上される。
【００２９】
実施例２：
図６に示される弾性背もたれシートは、スタンド１８が、四つある。
【００３０】
実施例３：
また、他の形態の弾性背もたれシートは、背もたれ１とシートパッド１２及びスタンド１８が備えられ、スタンド１８は、横方向空心パイプ９を有し、横方向空心パイプ９内に、弾性機構２３が設けられ、背もたれ１の両側に、それぞれ、力受けフレーム２が固定され、二つの力受けフレーム２の下端に、それぞれ、弾性機構２３の両端が結合され、シートパッド１２が、摺動可能にスタンド１８上に設置される。
【００３１】
本実施例においては、弾性機構２３は、簡単に、一つのトーションばね２０を利用し（図７のように）、トーションばね２０の中部が固定され、トーションばね２０の二つの外端が、力受けフレーム２の下端に結合される。
【００３２】
実施例１、２、３においては、横方向空心パイプ９が、ともに、スタンド１８上に一体成型されるが、横方向空心パイプ９が、スタンド１８に固定されることにより、本考案を実現することもできる。
【００３３】
そのため、本考案は、より進歩的かつより実用的で、法に従って実用新案登録請求を出願する。
【００３４】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００３５】
【図１】実施例１の弾性背もたれシートの立体図
【図２】図１の分解図
【図３】図２の局部拡大図
【図４】実施例１の回転ブロックの横断面図
【図５】実施例１の回転ブロックの回転孔内での回転角度の概念図
【図６】実施例２の弾性背もたれシートの立体図
【図７】実施例３の弾性背もたれシートの分解図
【符号の説明】
【００３６】
１  背もたれ
１０  パッドシート
１１  力受け孔
１２  シートパッド
１３  ボルト
１４  蓋板
１５  ローラ
１６  ロール軸
１７  スタンドパッド
１８  スタンド
１９  回転孔
２  力受けフレーム
２０  トーションばね
２１  リング状溝
２２  突起部
２３  弾性機構
３  アームレスト
４  制限部材
５  回転ブロック
６  弾性回転軸
７  ロック部材
８  固定部材
９  横方向空心パイプ
【図１】
0003170606.tif 000003
【図２】
0003170606.tif 000004
【図３】
0003170606.tif 000005
【図４】
0003170606.tif 000006
【図５】
0003170606.tif 000007
【図６】
0003170606.tif 000008
【図７】
0003170606.tif 000009